(57)【特許請求の範囲】
【請求項１】
癌罹病の検定に使用するデータを収集する方法であって、
被検者から採取したリンパ球にヘマトポルフィリン及び／又はその誘導体を加える工程と、
前記工程で得られた混合物に特定波長の光を照射してヘマトポルフィリン及び／又はその誘導体より励起化学発光を発生させる工程と、
前記工程で発生した化学発光量を測定する工程と、
を含み、
前記工程で得られる化学発光量が正常健康者から同様の工程により得られた化学発光量より多い場合に被検者が癌を罹患している可能性が高いと判断する検定において使用されるデータを収集する方法。
【請求項２】
前記方法が、ヘマトポルフィリン及びその誘導体が罹癌者由来のリンパ球に選択的に結合する性質を利用したものであり、ヘマトポルフィリン及び／又はその誘導体を取り込んだ罹癌者由来のリンパ球、およびヘマトポルフィリン及び／又はその誘導体を取り込んでいない正常健康者由来のリンパ球に起因する前記化学発光量各々に有意な差があることを利用した罹癌病の検定に使用される、請求項１に記載のデータの収集方法。
【請求項３】
リンパ球に結合したヘマトポルフィリン及び／又はその誘導体を定量する方法であって、
リンパ球にヘマトポルフィリン及び／又はその誘導体を加える工程と、
前記工程で得られたリンパ球に特定波長の光を照射してヘマトポルフィリン及び／又はその誘導体より励起化学発光を発生させる工程と、
前記工程で発生した化学発光量を測定する工程と、
を含む方法。
【請求項４】
請求項３に記載の方法が、ヘマトポルフィリン及び／又はその誘導体が罹癌者由来のリンパ球に選択的に結合する性質を利用したものであり、該方法を用いて定量されたヘマトポルフィリン量から罹癌者由来のリンパ球を検知する方法。
【請求項５】
請求項１乃至４のいずれか１項に記載の方法において使用される癌罹病検定用装置であって、特定波長の光照射手段と、微弱化学発光測定手段と、を具備する癌罹病検定用装置。
【請求項６】
請求項１乃至４のいずれか１項に記載の方法において使用される癌罹病検定用装置であって、試料セルと、前記試料セルを収容する試料室と、前記試料セルに収容されるべき試料に光を照射するための光照射手段と、前記試料から発生する化学発光強度を測定する化学発光強度測定手段と、前記試料室と前記化学発光強度測定手段との間に設けられた分光機構と、を具備する癌罹病検定用装置。
【請求項７】
前記試料室の下方に加熱手段が設けられている、請求項６に記載の癌罹病検定用装置。
【請求項８】
前記分光機構として６００ｎｍ以上の光を通す、光学フィルター、分光器、又は受光素子を具備し、これによりヘマトポルフィリンに特異的な化学発光を測定する、請求項６又は７に記載の癌罹病検定用装置。
【請求項９】
前記試料セル及び／又は試料室が、照射される光により励起される物質を含まない材料から形成されている、請求項６乃至８のいずれか１項に記載の癌罹病検定用装置。
【請求項１０】
前記試料室が、前記試料セル中に収容されるべき試料の雰囲気を不活性ガス雰囲気に置換するためのガス入口及びガス出口を備えている、請求項６乃至９のいずれか１項に記載の癌罹病検定用装置。
【請求項１１】
光照射手段としてレーザー光源を使用している、請求項５乃至１０のいずれか１項に記載の癌罹病検定用装置。
【請求項１２】
レーザー光源を３００〜４５０ｎｍとする、請求項１１に記載の癌罹病検定用装置。
【発明の詳細な説明】
【技術分野】
【０００１】
本発明は、癌罹病の簡便な体外診断に使用可能な癌罹病検定用データの収集方法及び該方法の実施に好適な癌罹病検定用装置に関するものであり、詳しくは、癌患者由来のリンパ球と結合したヘマトポルフィリン量を直接的に測定する技術を含む癌罹病検定用データの収集方法、及び、該ヘマトポルフィリン量を高精度に測定可能な癌罹病検定用装置に関するものである。
【背景技術】
【０００２】
癌の診断・治療方法として、光感受性物質であるヘマトポルフィリン誘導体（hematoporphyrin derivative : HPD）の腫瘍に対する親和性及び蓄積性を応用した技術の研究・開発が進められてきた。ＨＰＤは可視光によって励起され、一重項酸素、スーパーオキシド、過酸化水素、ヒドロキシラジカルなどの短寿命で毒性の高い分子種を生成させる。ＨＰＤを体内に投与し、長時間かけて腫瘍に蓄積させた後、光照射により励起三重項状態を経て誘起される活性酸素による酸化反応によって癌細胞を破壊する研究が進められている（例えば、非特許文献１を参照。）。また、癌細胞のどこにＨＰＤが集結するかは明らかではないが、ＨＰＤ染色した癌細胞が蛍光を発することから癌組織の有無を判定する体内診断に応用することが行われている（例えば、非特許文献２を参照。）。しかしながら、これらはいずれも生体内測定であり、腫瘍に蓄積するまでに３日程度かかり、多くの手間がかかる上、患者の苦痛を伴うものであった。また、活性酸素による癌細胞の破壊においては、活性酸素の過剰な生成により皮膚や目に対して様々な副作用を引き起こすという問題点も指摘されていた（例えば、非特許文献３、４を参照。）。従って、非侵襲の癌の体外診断技術の開発が切望されていた。
【０００３】
癌の体外診断技術として、例えば特許文献１には、ＨＰＤが生体外に取り出した癌細胞やリンパ球によっても摂取されることに着目し、電子スピン共鳴装置（ＥＳＲ）を用いて癌診断への応用を図った技術が開示されている。しかし、かかる技術は、細胞分離法が確立されておらず、またＨＰＤ染色などの前処理が煩雑であったこと、また細胞の管理、保存技術が確立されていなかったこと、更にＥＳＲ装置を用いた観測では、ＨＰＤの選択的な測定をしていたものではなく、光励起によりＨＰＤが生成する各種活性酸素により生成したリンパ球表面酸化物量を見ていたにすぎない。故に診断判定のためのＥＳＲスペクトルの解釈が難しい、などの理由により実用化に至っていない。
【特許文献１】特開昭６０−１３５７６５号公報
【非特許文献１】Poto, L. & Berki.T. Investigation on the free radical producing effect of hematoporphyrin: aspin trapping study. Acta Physiol. Hung. 74, 285- (1989).
【非特許文献２】Dougherty, T.J.等、Photodynamic Therapy. J. Natl. Cancer Inst., 90, 889-905 (1998).
【非特許文献３】He, D., Soter, N.A., & Lim.H.W. The late phase of hematoporphyrin derivative-induced phototoxicity in mice: Release of hisitamine and histogic changes. Photochem. Photobiol., 50, 91- (1989).
【非特許文献４】Hawkins, C.W. Bickkers, D.R.Mukhter, H. & Elemets, C.A. Cutaneour Photosensitization: murine ear swelling as a marker of acute response. J. Invest. Dermatol. 86, 638- (1986).
【発明の開示】
【発明が解決しようとする課題】
【０００４】
本発明は、上記背景技術に鑑み開発されたものであり、癌罹病の簡便な体外診断に使用し得る信頼性の高い癌罹病検定用データの収集方法を提供すること、更に、該方法を高感度且つ簡便に実施することを可能とする癌罹病検定用装置を提供することを目的とする。
【課題を解決するための手段】
【０００５】
上記課題を解決すべく本発明者等が鋭意研究した結果、ヘマトポルフィリンがリンパ球に対して有する親和性及び蓄積性に関し新たな特質を見出し本発明を完成するに至った。すなわち、ヘマトポルフィリンは正常健康者由来のリンパ球に対しては殆ど摂取されることがなく、リンパ球への取り込みは、罹癌者由来のリンパ球に対し選択的に行われるという、ヘマトポルフィリンが有する特異的な性質を見出し、該性質を利用した癌罹病検定に使用するデータの収集方法を開発した。本方法では、ヘマトポルフィリンと結合したリンパ球からの化学発光量とヘマトポルフィリンと結合してないリンパ球からの化学発光量との差がヘマトポルフィリンの集積量として直接的に測定され、その差は有意な値として現れるため、信頼性の高い癌罹病検定用データを簡便に得ることができる。更に、本発明者等は、かかる方法の実施において高感度なデータの簡便な取得を可能ならしめる癌罹病検定用装置をも完成するに至った。
【０００６】
すなわち、本発明により、
癌罹病の検定に使用するデータを収集する方法であって、
被検者から採取したリンパ球にヘマトポルフィリン及び／又はその誘導体を加える工程と、
前記工程で得られた混合物に特定波長の光を照射してヘマトポルフィリン及び／又はその誘導体より励起化学発光を発生させる工程と、
前記工程で発生した化学発光量を測定する工程と、
を含み、
前記工程で得られる化学発光量が正常健康者から同様の工程により得られた化学発光量より多い場合に被検者が癌を罹患している可能性が高いと判断する検定において使用されるデータを収集する方法が提供される。
【０００７】
かかる方法は、ヘマトポルフィリン及びその誘導体が罹癌者由来のリンパ球に選択的に結合する性質を利用したものであり、ヘマトポルフィリン及び／又はその誘導体を取り込んだ罹癌者由来のリンパ球、およびヘマトポルフィリン及び／又はその誘導体を取り込んでいない正常健康者由来のリンパ球に起因する前記化学発光量各々に有意な差があることを利用したものである。
【０００８】
また、本発明により、
リンパ球に結合したヘマトポルフィリン及び／又はその誘導体を定量する方法であって、
リンパ球にヘマトポルフィリン及び／又はその誘導体を加える工程と、
前記工程で得られたリンパ球に特定波長の光を照射してヘマトポルフィリン及び／又はその誘導体より励起化学発光を発生させる工程と、
前記工程で発生した化学発光量を測定する工程と、
を含む方法が提供される。
【０００９】
かかる方法は、ヘマトポルフィリンが罹癌者由来のリンパ球に選択的に結合する性質を利用したものであり、該方法を用いて定量されたヘマトポルフィリン量から罹癌者由来のリンパ球の検知が可能となる。
【００１０】
更に、本発明により、前記方法においてリンパ球に結合したヘマトポルフィリン及び／又はその誘導体の検知・定量に使用される癌罹病検定用装置であって、特定波長の光照射手段と、微弱化学発光測定手段と、を具備する癌罹病検定用装置が提供される。
【００１１】
また、本発明により、前記方法においてリンパ球に結合したヘマトポルフィリン及び／又はその誘導体の検知・定量に使用される癌罹病検定用装置であって、試料セルと、前記試料セルを収容する試料室と、前記試料セルに収容されるべき試料に光を照射するための光照射手段と、前記試料から発生する化学発光強度を測定する化学発光強度測定手段と、前記試料室と前記化学発光強度測定手段との間に設けられた分光機構と、を具備する癌罹病検定用装置が提供される。
【００１２】
この装置は、一態様において、前記試料室の下方に加熱手段が設けられている。  
また、他の態様において、前記分光機構として６００ｎｍ以上の光を通す光学フィルター、もしくは６００ｎｍ以上の光を通す分光器又は受光素子が用いられ、ヘマトポルフィリンに特異的な化学発光が測定される。分光器としては、例えばグレーティングなどが好適に用いられる。
【００１３】
また、他の態様において、前記試料セル及び／又は試料室が、照射される光により励起される物質を含まない材料から形成される。
【００１４】
また、他の態様において、前記試料室が、前記試料セル中に収容されるべき試料の雰囲気を不活性ガス雰囲気に置換するためのガス入口及びガス出口を備えている。
【００１５】
また、他の態様において、光照射手段としてレーザー光源が使用され、該レーザー光源は３００〜４５０ｎｍとされ得る。
【発明の効果】
【００１６】
本発明により、癌罹病の簡便な体外診断に使用可能なデータの収集方法、更には該方法の実施において高精度なデータの取得を簡便に可能ならしめる癌罹病検定用装置が提供されたことは、癌の早期発見につながり、更には術後の経過診断及び癌再発防止のための治療にも有効に利用することができる。
【発明を実施するための最良の形態】
【００１７】
以下、本発明を詳細に説明する。  
本発明に係る癌罹病検定用データの収集方法は、ヘマトポルフィリン及びその誘導体が正常健康者（健常人）由来のリンパ球には取り込まれないが、罹癌者由来のリンパ球には選択的に取り込まれるという特異的な性質を利用したものであり、本発明においては罹癌者由来のリンパ球とかかる特異的結合を示すすべてのヘマトポルフィリン誘導体が用いられ得る。
【００１８】
本発明は、ヘマトポルフィリンに特定波長の光を照射することにより発生するヘマトポルフィリン由来の化学発光量を測定することにより、リンパ球に結合したヘマトポルフィリンを直接的に定量することを特徴とし、ヘマトポルフィリン及び／又はその誘導体（以下において、「ヘマトポルフィリン誘導体」と総称し、これをＨＰＤと略記する。）を取り込んだ罹癌者由来のリンパ球、およびＨＰＤを取り込んでいない正常健康者由来のリンパ球に起因する前記化学発光量各々に有意な差があることを利用している。詳細は後掲の実施例で述べるが、罹癌者から採取したリンパ球と健常人から採取したリンパ球各々について、ＨＰＤ染色した前後において特定波長の光を照射し発生するヘマトポルフィリン由来の化学発光量を測定した結果、罹癌者由来のＨＰＤ染色したリンパ球の化学発光量が、他の３群、すなわち、ＨＰＤ染色した健常人由来のリンパ球、ＨＰＤ未染色の罹癌者由来のリンパ球、及びＨＰＤ未染色の健常人由来のリンパ球各々からの化学発光量に比べ有意な差が見られることが確認された（図７を参照。）。また、ＨＰＤ染色前後における罹癌者由来リンパ球の化学発光量の差と、同様にＨＰＤ染色前後における健常人由来リンパ球の化学発光量の差とを比較した結果から、ＨＰＤが健常人由来のリンパ球には殆ど取り込まれず、罹癌者由来のリンパ球に選択的に取り込まれることも確認された（図８を参照。）。
【００１９】
本発明は、このような重要な特性に基づき開発されたものである。すなわち、本発明は、癌罹病の検定に使用するデータを収集する方法に係わり、該データは、被検者から採取したリンパ球にヘマトポルフィリン誘導体を加える工程と、前記工程で得られた混合物に特定波長の光を照射してヘマトポルフィリン誘導体より励起化学発光を発生させる工程と、前記工程で発生した化学発光量を測定する工程とを含み、前記工程で得られる化学発光量が正常健康者から同様の工程により得られた化学発光量より多い場合に被検者が癌を罹患している可能性が高いと判断する検定において使用される。
【００２０】
従って、本発明においてデータを収集するために使用し得る癌罹病検定用装置は、特定波長の光照射手段と、低雑音で高感度に化学発光スペクトルを観測できる微弱化学発光測定手段とを具備することが必要である。図１は、本発明の癌罹病検定用装置の一態様を示すものであり、試料セル１と、試料セルを収容する試料室２と、試料セル１に収容されるべき試料に光を照射するための光照射手段１０と、試料から発生する化学発光強度を測定する化学発光測定手段１１と、前記化学発光測定手段１１との間に設けられた光学フィルター１２と、前記試料室の下方に設けられた加熱手段１３とを具備し、更に前記試料室２は、該試料室内の雰囲気を不活性ガス雰囲気に置換するためのガス入口３及びガス出口４を備えている。
【００２１】
前記光学フィルター１２は、分光機構の一例であり、ＨＰＤに特異的な化学発光を測定するために６００ｎｍ以上の光を通す光学フィルターが用いられる。また、分光機構の他の例としては、６００ｎｍ以上の光を通す分光器又は受光素子が挙げられ、分光器としては例えばグレーティングなどが好適に用いられる。
【００２２】
また、前記試料セル１及び／又は試料室２は、照射される光により励起される物質を含まない材料、すなわち、高純度物質から形成されていることが好ましく、例えば、ＳｉＯ２、高純度ガラス、高純度石英ガラス、ステンレス、Ｓｉ、ＳｉＣなどが具体例として挙げられる。
【００２３】
また、光照射手段１０としてレーザー光源が使用され得、レーザー光の波長は、ＨＰＤ由来の化学発光を誘発すべく、３００ｎｍ〜４５０ｎｍであることが好ましく、３３０ｎｍ〜４２０ｎｍがより好ましい。更に、レーザー光の照射出力が高すぎると大量の活性酸素が生成し、細胞死を招いて自己発光を誘起するおそれがある。このため、照射出力の調整が必要であり、その上限は平均出力１０ｍＷ以下とすることが好ましい。なお、レーザーは直線光であるため、拡散レンズ（非球面）を通すことにより、光を拡散させ照射面積を大きくすることもできる。また、パルスレーザーでも前記条件を満たすものであれば本発明において好適に使用することができる。パルスレーザーの場合、送信と受信との同期をとる周期増幅方式を受光源にも適用でき、ノイズ軽減に役立てることができる。
【００２４】
本発明の癌罹病検定用装置における、特に光照射手段と、分光機構と、化学発光強度測定手段とにより構成される態様について、図１とは異なる他の態様を、模式的に示した図を参照しながら以下に説明する。
【００２５】
図２は、特定波長の光を通す光学フィルターを用いた装置の一態様であり、光学フィルター１１２により、光照射手段１００から照射された光が反射される一方、６００ｎｍ以上の光を通すことにより、ヘマトポルフェリン及び／又はその誘導体由来の励起化学発光の化学発光量が化学発光強度測定手段１１１により測定される。
【００２６】
図３は、特定波長の光を通す分光器としてグレーティングを用いた装置の一態様であり、光照射手段２００から照射された光を受けて試料から発生した励起化学発光から、グレーティング２１２により６００ｎｍ以上の光が取り出されることにより、ヘマトポルフェリン及び／又はその誘導体由来の励起化学発光の化学発光量が化学発光強度測定手段２１１により測定される。
【００２７】
また、図４に示すような構成（多検体測定装置）とすることにより、複数の試料を連続的に測定することができる。すなわち、試料室（図示せず）内に設けられた移動手段３５０（例えば、ターンテーブル）の上に、複数の試料セル３０１を載荷する。ターンテーブルの場合、試料セル３０１は図４に示すように円状に配置する。このような構成を採用した場合、光照射手段３００が光を試料３０２に照射した後、移動手段３５０を移動（回転）させることにより光照射後の試料３０２を化学発光強度測定手段３１１の下へ移動し、６００ｎｍ以上の光を通す分光機構３１２を介した試料からの励起発光を測定することにより、ヘマトポルフェリン及び／又はその誘導体由来の励起発光の化学発光量が測定される。このような操作を繰り返すことにより、複数の試料を連続的に測定することができる。ここで、移動手段３０５及び試料セル３０１は照射光が当たっても光らない素材のものが用いられる。また、このような移動手段３５０を用いることなく試料室内に置かれた複数の試料について一度に測定することも、照射が均一になるよう複数の光照射手段を用いる、ＣＣＤカメラのような受光素子を利用した化学発光強度測定、など工夫次第で可能である。
【実施例】
【００２８】
（１）細胞分離とＨＰＤ処理
被検者から採取した全血１７ｍｌ（抗凝固液を含む。）に、６％デキストラン溶液を全血（質量）に対して２０％となるように加え、転倒混和して１時間室温にて放置した。放置後、上清を回収し、フィコール溶液（Amersham Biosciences, Sweden）に重層し、比重遠心法によりリンパ球層及び好中球層を分離、回収した。
【００２９】
リンパ球の回収層をＰＢＳ（１３７ｍＭ ＮａＣｌ、８．１ｍＭ Ｎａ２ＨＰＯ４・１２Ｈ２Ｏ、２．６８ｍＭ ＫＣｌ、１．４７ｍＭ ＫＨ２ＰＯ４）１０ｍｌで２回洗浄した後、５ｍＭのＨＰＤをリンパ球数１×１０６個／ｍｌに対して６０μｌの割合で添加し、３７℃で１０分間インキュベートした。次いで、前記ＰＢＳ１０ｍｌで２回洗浄した後、リンパ球数１×１０６個／ｍｌに対して２００μｌとなるよう生理食塩水で細胞を懸濁し、これをサンプルとした。
【００３０】
（２）癌罹病検定用装置及び該装置を用いた化学発光量の測定条件
化学発光検出（Chemiluminescence detection: CL-detection）は、室温において、図１に示した低雑音で高感度に発光スペクトルを観測できる本発明の癌罹病検定用装置（フィルター：ＮＤフィルター１０３＋６００High Pass (内蔵）+Gain=10、ステンレス微量セル（２０ｍｍφ）を用いレーザ照射しながら測定した。レーザ光の波長は４０８ｎｍ、照射出力は５ｍＷとし、化学発光の測定時間は２分間とした。レーザー光の照射下で化学発光を検出する本方法では、未染色のリンパ球（ブランク）からも非特異的な化学発光が観測されるため、ＨＰＤによる化学発光量の計測値はブランク測定値との差から求めた。
【００３１】
（３）ＨＰＤの発光スペクトルの観測
（３−１）  前記（１）で得られたサンプル５０μｌ（リンパ球２．５×１０５個）に、前記（２）に示した装置及び測定条件にてレーザー光を照射し、励起することで観測された発光スペクトルを図５に示す。図５には、発光極大は５６０〜５８０ｎｍ、６２０〜６４０ｎｍ、及び６８０〜７００ｎｍにあることが示されている。生理食塩水（０．９％ＮａＣｌ）の場合、５６０〜５８０ｎｍのみに発光極大があることから、ＨＰＤ由来の化学発光は６００ｎｍ以降に存在することがわかる。従って、上述したように、６００ｎｍ以上の波長のみを通すハイパスフィルターを使用することにより、リンパ球中のＨＰＤを選択的に観測できることがわかる。
【００３２】
（３−２）レーザー照射による化学発光量とＨＰＤ濃度との関係を調べ、その結果を図６に示す。４０８ｎｍのレーザー励起した場合に観測されたＨＰＤ由来のＣＬ放出量とＨＰＤ濃度との関係を示すものであり、図中の横軸は、ＨＰＤの最終濃度を表し、縦軸は３０秒間の平均化学発光量（カウント数）を示す。ＨＰＤ濃度を０−２０ｐｍｏｌに調整したＨＰＤ水溶液（２００μｌ）の化学発光量は、ブランクを除くと１４００−２５００カウントとなり、双方は良好な関係を示した。なお、本実験に用いた装置では、２．５ｐｍｏｌまでのＨＰＤ定量が可能であった。
【００３３】
（４）ＨＰＤ染色したリンパ球のフォトン放出量
生理食塩水および健常人のリンパ球からはＨＰＤ由来でない非特異的なＣＬ（５０００−６０００カウント）が観測されるため、罹癌者及び健常人のリンパ球（１．２５×１０５個）をＨＰＤで染色し、レーザー光（４０８ｎｍ）を照射したときに観測されるＣＬ放出量と、生理食塩水にレーザー光を照射したときのＣＬ放出量との差を求めた。結果を表１及び図７に示す。表１及び図７において化学発光強度（ＣＬ強度）は３０秒間の平均化学発光量（カウント数）を示し、健常人及び罹癌者各７人のサンプルのデータを平均したものである。
【００３４】
図７から、ＨＰＤ染色した罹癌者由来のリンパ球のＣＬ放出量が、他の３群、すなわち、ＨＰＤ染色した健常人由来のリンパ球、ＨＰＤ未染色の罹癌者由来のリンパ球、及びＨＰＤ未染色の健常人由来のリンパ球各々からのＣＬ放出量に比べ有意な差が見られることがわかる。ＨＰＤ染色していない罹癌者由来のリンパ球のＣＬ量との比較では約２〜２．５倍多いことがわかる。この差は統計学的にも、ｐ＜０．０５で有意であった。罹癌者由来のリンパ球に結合したＨＰＤ濃度を図６から求めると約１００ｐｍｏｌ／１×１０６個であった。
【００３５】
また、上記データ（表１）から、ＨＰＤ染色前後における罹癌者由来リンパ球の化学発光量の差と、ＨＰＤ染色前後における健常人由来リンパ球の化学発光量の差とを比較した結果を表１及び図８に示す。この結果から、ＨＰＤが健常人由来のリンパ球には殆ど取り込まれず、罹癌者由来のリンパ球に選択的に取り込まれることは明らである。
【表１】
0004509927.tif 000002
【図面の簡単な説明】
【００３６】
【図１】本発明の癌罹病検定用装置の一態様を模式的に示す図。
【図２】本発明の癌罹病検定用装置の他の態様を模式的に示す図。
【図３】本発明の癌罹病検定用装置の他の態様を模式的に示す図。
【図４】本発明の癌罹病検定用装置の他の態様を模式的に示す図。
【図５】ＨＰＤの励起発光スペクトルを示すグラフ。
【図６】生理食塩水溶液中のＨＰＤ濃度と一重項酸素由来ＣＬ放出量の関係を示すグラフ。
【図７】罹癌者由来のリンパ球及び健常人由来のリンパ球各々のＨＰＤ染色、及びＨＰＤ未染色におけるＣＬ量の測定結果を示すグラフ。
【図８】罹癌者由来リンパ球のＨＰＤ取込み量と健常人由来リンパ球のＨＰＤ取込み量とを比較したグラフ。
【図１】
0004509927.tif 000003
【図２】
0004509927.tif 000004
【図３】
0004509927.tif 000005
【図４】
0004509927.tif 000006
【図５】
0004509927.tif 000007
【図６】
0004509927.tif 000008
【図７】
0004509927.tif 000009
【図８】
0004509927.tif 000010